(57)【特許請求の範囲】
【請求項１】
価格の算出対象に関する情報（以下、「算出対象情報」と称す。）を記憶する算出対象情報記憶手段と、
前記算出対象の価格を記憶する価格情報記憶手段と、
前記算出対象の算出対象情報を表示するとともに、前記算出対象の価格を表示する価格情報表示手段と、
前記価格情報表示手段により表示された前記算出対象の価格が妥当であるか、もっと高いか、あるいはもっと安いかのいずれかを投票する投票手段と、
前記投票手段による投票に基づいて、前記投票が妥当であるの場合には前記価格情報表示手段により表示された価格を加算し、前記投票がもっと高いの場合には前記価格情報表示手段により表示された価格よりも所定の変動幅だけ高い価格を加算し、前記投票がもっと安いの場合には前記価格情報表示手段により表示された価格よりも所定の変動幅だけ安い価格を加算して、平均することにより、前記算出対象の価格を算出し、前記投票がもっと高いまたはもっと安いの場合であって前記価格情報表示手段により表示された価格よりも所定の変動幅だけ高い価格または安い価格を加算して平均すると前記算出対象の価格に近づく場合には、前記価格情報表示手段により表示された価格からの変動幅を大きくし、前記投票がもっと高いまたはもっと安いの場合であって前記価格情報表示手段により表示された価格よりも所定の変動幅だけ高い価格または安い価格を加算して平均すると前記算出対象の価格から離れる場合には、前記価格情報表示手段により表示された価格からの変動幅を小さくすることにより、前記算出対象の価格を更新する価格情報算出手段と
を含む価格情報処理装置。
【請求項２】
前記価格情報算出手段は、前記投票が連続してもっと高いまたはもっと安いの場合には、前記変動幅を通常の変動幅から割増しするものである請求項１記載の価格情報処理装置。
【請求項３】
前記投票手段は、同一ユーザによる投票の場合には所定期間の経過後でなければ投票できないものとする請求項１または２に記載の価格情報処理装置。
【請求項４】
価格の算出対象に関する情報（以下、「算出対象情報」と称す。）を記憶する算出対象情報記憶手段と、
前記算出対象の価格を記憶する価格情報記憶手段と、
前記算出対象の算出対象情報を表示するとともに、前記算出対象の価格を表示する価格情報表示手段と、
前記価格情報表示手段により表示された前記算出対象の価格が妥当であるか、もっと高いか、あるいはもっと安いかのいずれかを投票する投票手段と、
前記投票手段による投票に基づいて、前記投票が妥当であるの場合には前記価格情報表示手段により表示された価格を加算し、前記投票がもっと高いの場合には前記価格情報表示手段により表示された価格よりも所定の変動幅だけ高い価格を加算し、前記投票がもっと安いの場合には前記価格情報表示手段により表示された価格よりも所定の変動幅だけ安い価格を加算して、平均することにより、前記算出対象の価格を算出し、前記投票がもっと高いまたはもっと安いの場合であって前記価格情報表示手段により表示された価格よりも所定の変動幅だけ高い価格または安い価格を加算して平均すると前記算出対象の価格に近づく場合には、前記価格情報表示手段により表示された価格からの変動幅を大きくし、前記投票がもっと高いまたはもっと安いの場合であって前記価格情報表示手段により表示された価格よりも所定の変動幅だけ高い価格または安い価格を加算して平均すると前記算出対象の価格から離れる場合には、前記価格情報表示手段により表示された価格からの変動幅を小さくすることにより、前記算出対象の価格を更新する価格情報算出手段と
してコンピュータを機能させるための価格情報処理プログラム。
【請求項５】
コンピュータが、
ウェブページから入力または指定された価格の算出対象に関する情報（以下、「算出対象情報」と称す。）を算出対象情報記憶手段に記憶するステップと、
前記算出対象の価格を価格情報記憶手段に記憶するステップと、
ユーザ端末に、前記算出対象の算出対象情報を表示するとともに、前記算出対象の価格を表示するウェブページを提供する価格情報表示ステップと、
ユーザ端末に、この表示された前記算出対象の価格が妥当であるか、もっと高いか、あるいはもっと安いかのいずれかを投票するウェブページを提供するステップと、
前記ウェブページからの投票に基づいて、前記投票が妥当であるの場合には前記価格情報表示ステップにより表示された価格を加算し、前記投票がもっと高いの場合には前記価格情報表示ステップにより表示された価格よりも所定の変動幅だけ高い価格を加算し、前記投票がもっと安いの場合には前記価格情報表示ステップにより表示された価格よりも所定の変動幅だけ安い価格を加算して、平均することにより、前記算出対象の価格を算出し、前記投票がもっと高いまたはもっと安いの場合であって前記価格情報表示ステップにより表示された価格よりも所定の変動幅だけ高い価格または安い価格を加算して平均すると前記算出対象の価格に近づく場合には、前記価格情報表示ステップにより表示された価格からの変動幅を大きくし、前記投票がもっと高いまたはもっと安いの場合であって前記価格情報表示ステップにより表示された価格よりも所定の変動幅だけ高い価格または安い価格を加算して平均すると前記算出対象の価格から離れる場合には、前記価格情報表示ステップにより表示された価格からの変動幅を小さくすることにより、前記算出対象の価格を更新するステップと
を実行する価格情報処理方法。
【発明の詳細な説明】
【技術分野】
【０００１】
本発明は、商品やサービスの価格を算出して提供する価格情報処理装置、価格情報処理プログラムおよび価格情報処理方法に関する。
【背景技術】
【０００２】
家電、パソコン（パーソナルコンピュータ）や車などの価格は、例えば非特許文献１に記載のような価格比較サイトを参照することによって知ることが可能である。このような価格比較サイトでは、例えば特許文献１に記載のように、複数の販売者に関し、各商品について各販売者が採用する販売価格を、販売者からの入力に基づいて当該販売者の情報に対応づけて記憶、更新し、商品ごとに低価格順における上位所定数内に含まれる販売価格および対応する販売者の情報を抽出し、価格順位情報として記憶、更新し、ユーザに提供する。
【先行技術文献】
【特許文献】
【０００３】
【特許文献１】特開２００１−２５６３５６号公報
【非特許文献】
【０００４】
【非特許文献１】“価格．ｃｏｍ”［online］，株式会社カカクコム，［平成２２年８月３０日検索］，インターネット＜ＵＲＬ：http://kakaku.com/＞
【発明の概要】
【発明が解決しようとする課題】
【０００５】
ところで、上記の家電、パソコンや車などのように、定価や目安の価格がはっきりしている商品やサービスについては、上記のようなサービスを利用することで知ることが可能であるが、リフォーム費用、エステ料金、誕生日プレゼントにかける費用や、弁護士費用等の価格の基準が曖昧で、定価や目安の価格がよく分からない商品やサービスの価格については上記のようなサービスでは知ることができない。
【０００６】
そこで、本発明においては、定価や目安の価格がよく分からない商品やサービスの妥当な価格を提供する価格情報処理装置、価格情報処理プログラムおよび価格情報処理方法を提供することを目的とする。
【課題を解決するための手段】
【０００７】
本発明の価格情報処理装置は、価格の算出対象に関する情報（以下、「算出対象情報」と称す。）を記憶する算出対象情報記憶手段と、算出対象の価格を記憶する価格情報記憶手段と、算出対象の算出対象情報を表示するとともに、算出対象の価格を表示する価格情報表示手段と、価格情報表示手段により表示された算出対象の価格が妥当であるか、もっと高いか、あるいはもっと安いかのいずれかを投票する投票手段と、投票手段による投票に基づいて算出対象の価格を更新する価格情報算出手段とを含むものである。
【０００８】
また、本発明の価格情報処理方法は、価格の算出対象に関する情報（算出対象情報）を算出対象情報記憶手段に記憶すること、算出対象の価格を価格情報記憶手段に記憶すること、算出対象の算出対象情報を表示するとともに、算出対象の価格を表示すること、この表示された算出対象の価格が妥当であるか、もっと高いか、あるいはもっと安いかのいずれかを投票すること、この投票に基づいて算出対象の価格を更新することを含むことを特徴とする。
【０００９】
これらの発明によれば、表示された算出対象の価格が妥当であるか、もっと高いか、あるいはもっと安いかのいずれかを投票すると、この投票に基づいて算出対象の価格が更新され、妥当な価格が算出されて提供される。
【００１０】
ここで、価格情報算出手段は、投票が妥当であるの場合には価格情報表示手段により表示された価格を加算し、投票がもっと高いの場合には価格情報表示手段により表示された価格よりも所定の変動幅だけ高い価格を加算し、投票がもっと安いの場合には価格情報表示手段により表示された価格よりも所定の変動幅だけ安い価格を加算して、平均することにより、算出対象の価格を算出するものであることが望ましい。
【００１１】
これにより、表示された算出対象の価格がもっと高い場合にはその投票により価格が上がり、もっと安い場合にはその投票により価格が下がり、妥当である場合にはその投票により価格は変わらないが平均には影響するようになり、妥当な価格が算出されて提供される。
【００１２】
また、価格情報算出手段は、投票がもっと高いまたはもっと安いの場合であって価格情報表示手段により表示された価格よりも所定の変動幅だけ高い価格または安い価格を加算して平均すると算出対象の価格に近づく場合には、価格情報表示手段により表示された価格からの変動幅を大きくし、投票がもっと高いまたはもっと安いの場合であって価格情報表示手段により表示された価格よりも所定の変動幅だけ高い価格または安い価格を加算して平均すると算出対象の価格から離れる場合には、価格情報表示手段により表示された価格からの変動幅を小さくするものであることが望ましい。
【００１３】
これにより、投票がもっと高いまたはもっと安いの場合であって表示された価格よりも所定の変動幅だけ高い価格または安い価格を加算して平均すると算出対象の価格に近づく場合には、なるべく算出対象の価格に近づくようになり、投票がもっと高いまたはもっと安いの場合であって表示された価格よりも所定の変動幅だけ高い価格または安い価格を加算して平均すると算出対象の価格から離れる場合には、なるべく算出対象の価格から離れないようになる。
【００１４】
また、価格情報算出手段は、投票が連続してもっと高いまたはもっと安いの場合には、変動幅を通常の変動幅から割増しするものであることが望ましい。これにより、表示された価格から妥当な価格が離れすぎている場合に、早期に妥当な価格まで近づけることが可能となる。
【００１５】
また、投票手段は、同一ユーザによる投票の場合には所定期間の経過後でなければ投票できないものとすることが望ましい。これにより、ユーザの誤操作による投票や、悪戯による投票を防止することができる。
【００１６】
また、本発明の価格情報処理プログラムは、価格の算出対象に関する情報（算出対象情報を記憶する算出対象情報記憶手段と、算出対象の価格を記憶する価格情報記憶手段と、算出対象の算出対象情報を表示するとともに、算出対象の価格を表示する価格情報表示手段と、価格情報表示手段により表示された算出対象の価格が妥当であるか、もっと高いか、あるいはもっと安いかのいずれかを投票する投票手段と、投票手段による投票に基づいて算出対象の価格を更新する価格情報算出手段としてコンピュータを機能させるためのものである。このプログラムを実行したコンピュータによれば、上記本発明の価格情報処理装置と同様の作用、効果を奏することができる。
【発明の効果】
【００１７】
（１）算出対象の価格を表示し、この表示された算出対象の価格が妥当であるか、もっと高いか、あるいはもっと安いかのいずれかを投票し、この投票に基づいて算出対象の価格を更新する構成により、表示された算出対象の価格が妥当であるか、もっと高いか、あるいはもっと安いかのいずれかを投票すると、この投票に基づいて算出対象の価格が更新され、妥当な価格が算出されて提供されるので、定価や目安の価格がよく分からない商品やサービスの妥当な価格を知ることが可能となる。
【００１８】
（２）投票がもっと高いまたはもっと安いの場合であって表示された価格よりも所定の変動幅だけ高い価格または安い価格を加算して平均すると算出対象の価格に近づく場合には、表示された価格からの変動幅を大きくし、投票がもっと高いまたはもっと安いの場合であって表示された価格よりも所定の変動幅だけ高い価格または安い価格を加算して平均すると算出対象の価格から離れる場合には、表示された価格からの変動幅を小さくするものであることにより、投票がもっと高いまたはもっと安いの場合であって表示された価格よりも所定の変動幅だけ高い価格または安い価格を加算して平均すると算出対象の価格に近づく場合には、なるべく算出対象の価格に近づくようになり、投票がもっと高いまたはもっと安いの場合であって表示された価格よりも所定の変動幅だけ高い価格または安い価格を加算して平均すると算出対象の価格から離れる場合には、なるべく算出対象の価格から離れないようになるので、より早く妥当な価格に収束させることが可能となる。
【００１９】
（３）投票が連続してもっと高いまたはもっと安いの場合には、変動幅を通常の変動幅から割増しする構成により、表示された価格から妥当な価格が離れすぎている場合に、早期に妥当な価格まで近づけることが可能となる。
【００２０】
（４）同一ユーザによる投票の場合には所定期間の経過後でなければ投票できない構成により、ユーザの誤操作による投票や、悪戯による投票を防止することができる。
【図面の簡単な説明】
【００２１】
【図１】本発明の実施の形態における価格情報処理装置のブロック図である。
【図２】図１の価格情報処理装置により提供される質問登録のウェブページの例を示す図である。
【図３】図１の価格情報処理装置により提供される価格情報のウェブページの例を示す図である。
【図４】図１の価格情報処理装置による処理を示すフロー図である。
【発明を実施するための形態】
【００２２】
図１は本発明の実施の形態における価格情報処理装置のブロック図、図２は図１の価格情報処理装置により提供される質問登録のウェブページの例を示す図、図３は図１の価格情報処理装置により提供される価格情報のウェブページの例を示す図である。
【００２３】
図１に示すように、本発明の実施の形態における価格情報処理装置１は、算出対象情報、初期価格情報や価格情報等を記憶する記憶手段１０と、算出対象情報等を入力する算出対象情報入力手段１１と、算出対象情報や価格情報等を表示する価格情報表示手段１２と、算出対象の価格が妥当であるか等の投票を行う投票手段１３と、投票手段１３による投票に基づいて算出対象の価格を更新する価格情報算出手段１４とを含む。
【００２４】
なお、価格情報処理装置１は、コンピュータを記憶手段１０、算出対象情報入力手段１１、価格情報表示手段１２、投票手段１３や価格情報算出手段１４として機能させるための価格情報処理プログラムを実行するサーバコンピュータにより実現される。価格情報処理装置１は、インターネット等の電気通信回線を通じてユーザのパーソナルコンピュータ、携帯電話機や携帯情報端末等のユーザ端末によりアクセスすることが可能となっている。
【００２５】
記憶手段１０に記憶される算出対象情報は、価格の算出対象に関する情報であり、算出対象の内容を表すタイトル、カテゴリ、詳細内容や投票期限等である。初期価格情報は、算出対象の初期価格である。価格情報は、価格情報算出手段１４により算出される算出対象の価格である。なお、本実施形態においては、１つの記憶手段１０に各情報を記憶しているが、情報ごとに記憶手段１０を分けて構成しても良い。
【００２６】
算出対象入力手段１１は、図２に示すような質問登録のウェブページ２０をユーザ端末に提供し、この質問登録のウェブページ２０により入力または指定された各情報を記憶手段１０に記憶するものである。質問登録のウェブページ２０には、算出対象の内容を表すタイトル、カテゴリ、詳細内容および投票期限をそれぞれ入力または指定する欄２１，２３，２４，２５と、初期価格を入力する欄２２とが設けられている。
【００２７】
価格情報表示手段１２は、図３に示すような価格情報のウェブページ３０をユーザ端末に提供するものである。価格情報表示手段１２は、この価格情報のウェブページ３０に、記憶手段１０に記憶された算出対象の算出対象情報、初期価格情報や価格情報を読み出して、タイトル３１、初期価格３２、価格３３、詳細内容３４、質問日時３５、投票期限３６、投票数３７等を表示する。
【００２８】
投票手段１３は、価格情報表示手段１２により表示された算出対象の価格３３が妥当であるか、もっと高いか、あるいはもっと安いかのいずれかを投票するものである。投票手段１３は、図３に示すように価格情報のウェブページ３０に、算出対象の価格３３が「妥当である」と投票するための「価値ぽん」ボタン４０と、「もっと高い」と投票するための「もっと高い」ボタン４１と、「もっと安い」と投票するための「もっと安い」ボタン４２とを表示する。
【００２９】
投票手段１３は、これらの「価値ぽん」ボタン４０、「もっと高い」ボタン４１または「もっと安い」ボタン４２のいずれか１つがユーザ端末によってクリックされると、このクリック結果（投票結果）を取得する。この投票結果および投票日時は記憶手段１０に記憶される。なお、投票手段１３による投票は、価格情報処理装置１にユーザ登録されたユーザのみ行うことが可能となっており、同一ユーザによる投票の場合には所定期間（例えば１日）の経過後でなければ投票できないようになっている。
【００３０】
価格情報算出手段１４は、投票手段１３による投票に基づいて算出対象の価格３３を更新するものである。本実施形態においては、価格情報算出手段１４は、投票結果と初期価格３２からの価格変動履歴に基づいて平均値を算出する。ここで、価格情報算出手段１４は、投票手段１３による投票が「妥当である」（「価値ぽん」ボタン４０のクリック）の場合、現在の価格３３を価格変動履歴に加算して平均する。例えば、現在の価格３３がＡ、投票数がＢの場合、価格情報算出手段１４は（Ａ×Ｂ＋Ａ）／（Ｂ＋１）により平均値を算出する。なお、この場合、実際には平均値は変動しないため、価格情報算出手段１４は、投票数を１増やすだけである。
【００３１】
また、価格情報算出手段１４は、投票手段１３による投票が「もっと高い」（「もっと高い」ボタン４１のクリック）の場合、現在の価格３３よりも所定の変動幅だけ高い価格を加算して平均する。例えば、現在の価格３３がＡ、投票数がＢ、変動幅がＣの場合、価格情報算出手段１４は（Ａ×Ｂ＋（Ａ＋Ｃ））／（Ｂ＋１）により平均値を算出する。一方、価格情報算出手段１４は、投票手段１３による投票が「もっと安い」（「もっと安い」ボタン４２のクリック）の場合、現在の価格３３よりも所定の変動幅だけ安い価格を加算して平均する。例えば、現在の価格３３がＡ、投票数がＢ、変動幅がＣの場合、価格情報算出手段１４は（Ａ×Ｂ＋（Ａ−Ｃ））／（Ｂ＋１）により平均値を算出する。
【００３２】
また、本実施形態においては、価格情報算出手段１４は、以下のように変動幅Ｃを変更して平均値を算出する。価格情報算出手段１４は、現在の価格３３よりも所定の変動幅Ｃだけ高い価格または安い価格を加算して平均すると現在の価格３３に近づく場合には、変動幅Ｃを大きくし、現在の価格３３から離れる場合には、変動幅Ｃを小さくする。さらに、本実施形態においては、価格情報算出手段１４は、投票が連続して「もっと高い」または「もっと安い」の場合には、通常の変動幅Ｃから割り増しした変動幅Ｃ’を用いて平均値を算出する。
【００３３】
次に、上記構成の価格情報処理装置１による処理について、図４のフロー図に基づいて説明する。まず、価格情報処理装置１にユーザ登録されたユーザが、ユーザ端末によって価格情報処理装置１にアクセスし、ログインした後、図２に示す質問登録のウェブページ２０から算出対象情報等の入力を行う（ステップＳ１０１）。この算出対象情報等の入力は、前述の算出対象情報入力手段１１による。なお、ユーザ登録やログイン等の処理については周知であるため、詳細な説明は省略する。
【００３４】
次に、上記ユーザあるいは他のユーザが、ユーザ端末によって価格情報処理装置１にアクセスすると、価格情報表示手段１２がこのユーザ端末に対して図３に示す価格情報のウェブページ３０を提供する（ステップＳ１０２）。なお、投票を行わないユーザは価格情報処理装置１にログインする必要はないが、以下の処理は価格情報処理装置１にユーザ登録されたユーザがログインしている場合にのみ行われる。
【００３５】
そして、投票期限前である場合（Ｓ１０３）、価格情報のウェブページ３０には、「価値ぽん」ボタン４０、「もっと高い」ボタン４１および「もっと安い」ボタン４２がクリック可能な状態で表示されており、いずれか１つのクリックにより投票されると、投票手段１３はこの投票結果を取得する（ステップＳ１０４）。次に、価格情報算出手段１４は、この投票結果に基づいて価格の計算を行い、価格情報のウェブページ３０の価格３３を更新する（ステップＳ１０２）。
【００３６】
なお、投票期限が経過した場合（Ｓ１０３）、価格情報のウェブページ３０には、「価値ぽん」ボタン４０、「もっと高い」ボタン４１および「もっと安い」ボタン４２は表示されないか、あるいはクリック不可能な状態で表示され、価格情報のウェブページ３０の参照のみが可能となる。
【００３７】
以上のように、本実施形態における価格情報処理装置１では、価格情報のウェブページ３０に算出対象の価格３３を表示し、この表示された算出対象の価格が妥当であるか、もっと高いか、あるいはもっと安いかのいずれかを「価値ぽん」ボタン４０、「もっと高い」ボタン４１あるいは「もっと安い」ボタン４２のいずれかのクリックにより投票し、この投票に基づいて算出対象の価格３３を更新するので、リフォーム費用、エステ料金、誕生日プレゼントにかける費用や、弁護士費用等の価格の基準が曖昧で、定価や目安の価格がよく分からない商品やサービスの妥当な価格を知ることが可能である。
【００３８】
また、この価格情報処理装置１では、表示された価格３３よりも所定の変動幅だけ高い価格または安い価格を加算して平均すると算出対象の価格に近づく場合には、表示された価格３３からの変動幅を大きくするので、なるべく算出対象の価格に近づくようになる。一方、表示された価格よりも所定の変動幅だけ高い価格または安い価格を加算して平均すると算出対象の価格から離れる場合には、表示された価格からの変動幅を小さくするので、なるべく算出対象の価格から離れないようになる。これにより、より早く妥当な価格に収束させることが可能となっている。
【００３９】
また、この価格情報処理装置１では、投票が連続してもっと高いまたはもっと安いの場合には、通常の変動幅から割増した変動幅を用いて平均値を算出するのでにより、表示された価格から妥当な価格が離れすぎている場合に、早期に妥当な価格まで近づけることが可能となっている。
【００４０】
また、この価格情報処理装置１では、同一ユーザによる投票の場合には所定期間の経過後でなければ投票できない構成となっているため、ユーザの誤操作による投票や、悪戯による投票を防止することが可能となっている。
【産業上の利用可能性】
【００４１】
本発明の価格情報処理装置、価格情報処理プログラムおよび価格情報処理方法は、リフォーム費用、エステ料金、誕生日プレゼントにかける費用や、弁護士費用等の価格の基準が曖昧で、定価や目安の価格がよく分からない商品やサービスの妥当な価格を提供する装置、プログラムおよび方法として有用である。
【符号の説明】
【００４２】
１  価格情報処理装置
１０  記憶手段
１１  算出対象情報入力手段
１２  価格情報表示手段
１３  投票手段
１４  価格情報算出手段
２０，３０  ウェブページ
【図１】
0005512470.tif 000002
【図４】
0005512470.tif 000003
【図２】
0005512470.tif 000004
【図３】
0005512470.tif 000005